(57)【要約】      （修正有）【課題】給水が容易で、装置の構成が比較的簡素な冷却装置を提供する。【解決手段】複数の長尺体１１が間隔ｃ１を隔てて面状に配置されて成り、前記長尺体１１の表面の少なくとも一部に水分を保持する保水部１２が形成された冷却装置１。保水部に供給された水分の気化熱により、連結された長尺体間を通過する風が冷却されて、涼風を室内に送り込むことができる。さらに、保水部が長尺体の表面に形成されているため、保水部に直接給水できる。このため、装置を比較的簡素に構成できる。【選択図】図１
0003175532.tif 000002
【実用新案登録請求の範囲】
【請求項１】
複数の長尺体が間隔を隔てて面状に配置されて成り、
前記長尺体の表面の少なくとも一部に水分を保持する保水部が形成された冷却装置。
【請求項２】
前記保水部は、微粉層から成る請求項１に記載の冷却装置。
【請求項３】
前記保水部は、多孔質セラミックス層から成る請求項１に記載の冷却装置。
【請求項４】
前記保水部は、凹溝から成る請求項１に記載の冷却装置。
【請求項５】
前記複数の長尺体の上方に設置され、水を溜める容器と、
前記容器内の水を前記複数の長尺体に供給する散水手段と、
を備えた請求項１から請求項４のいずれかに記載の冷却装置。
【請求項６】
前記複数の長尺体が、並列に連結されたことを特徴とする請求項１から請求項５のいずれかに記載の冷却装置。
【請求項７】
前記複数の長尺体が、格子状に連結されたことを特徴とする請求項１から請求項５のいずかに記載の冷却装置。
【考案の詳細な説明】
【技術分野】
【０００１】
本考案は、建物の開口部の内外に設置される冷却装置に関するものである。
【背景技術】
【０００２】
特許文献１には、気化熱を利用して、涼風を室内に送り込む気化冷却式ブラインドが開示されている。図１０に示すように、このブラインドのスラット61は中空状に形成され、表面に多数の細孔63が形成されている。スラット61の中空部には含水した気泡材65が充鎮されている。細孔63から滲み出た水分が気化することで、スラット61間を通る風の温度が下げられる。
【０００３】
しかしながら、この気化冷却式ブラインドは、中空部の気泡材65に給水するための機構が必要である。このため、製品が複雑化し、これまでのブラインドに比べて製品コストが大幅に上昇するおそれがある。
【先行技術文献】
【特許文献】
【０００４】
【特許文献１】実開昭６２−８０９９０号公報
【考案の概要】
【考案が解決しようとする課題】
【０００５】
この考案は上記課題に着目して為されたものであり、装置の構成が比較的簡素な冷却装置を提供することを目的とする。
【課題を解決するための手段】
【０００６】
上記課題を解決する為に、本考案の冷却装置は、複数の長尺体が間隔を隔てて面状に配置されて成り、
前記長尺体の表面の少なくとも一部に水分を保持する保水部が形成されたものである。
【０００７】
また、前記保水部は、微粉層から成ることを特徴とする。
【０００８】
また、前記保水部は、多孔質セラミックス層から成ることを特徴とする。
【０００９】
また、前記保水部は、凹溝から成ることを特徴とする。
【００１０】
また、前記複数の長尺体の上方に設置され、水を溜める容器と、前記容器内の水を前記複数の長尺体に水を供給する散水手段とを備えたことを特徴とする。
【００１１】
また、前記複数の長尺体が、並列に連結されたことを特徴とする。
【００１２】
また、前記複数の長尺体が、格子状に連結されたことを特徴とする。
【考案の効果】
【００１３】
本考案の冷却装置は、保水部に供給された水分の気化熱により、連結された長尺体間を通過する風が冷却されて、涼風を室内に送り込むことができる。さらに、保水部が長尺体の表面に形成されているため、保水部に直接給水できる。このため、装置を比較的簡素に構成できる。
【図面の簡単な説明】
【００１４】
【図１】（ａ）実施例１の冷却装置を示した斜視図、（ｂ）長尺体の斜視図である。
【図２】（ａ）実施例１の冷却装置の他の態様を示した斜視図である。（ｂ）長尺体の一部断面図である。（ｃ）長尺体の一部を示した図である。
【図３】（ａ）実施例２の冷却装置を示した斜視図、（ｂ）長尺体の斜視図である。
【図４】実施例２の冷却装置の他の態様を示した斜視図である。
【図５】実施例３の冷却装置を示した正面図である。
【図６】実施例３の散水手段の他の態様を示した正面図である。
【図７】（ａ）実施例３の冷却装置の他の態様を示した図、（ｂ）冷却装置の短手方向の断面図である。
【図８】保水部の他の形態を示した斜視図であり、（ａ）円柱状の長尺体、（ｂ）四角柱状の長尺体、（ｃ）板状の長尺体を示したものである。
【図９】保水部のさらに他の形態を示した斜視図であり、（ａ）円柱状の長尺体、（ｂ）四角柱状の長尺体、（ｃ）板状の長尺体を示したものである。
【図１０】従来の気化冷却式ブラインドのスラットを示した図である。
【考案を実施するための形態】
【００１５】
以下、図面に従って、本考案の冷却装置を説明する。なお、本明細書においては、各図にわたって示される同じ符号は同一または同様の部材や物を示す。
【実施例１】
【００１６】
本考案の冷却装置1は、建物の窓や出入口等の開口部100の外面側又は内面側に配置される。本実施例では、図１（ａ）に示すように、開口部100の外面側に冷却装置1が配置される。この冷却装置1は、間隔c1を隔てて面状に連結された複数の長尺体11を備える。
【００１７】
本考案の複数の長尺体11は、長手方向を開口部100の高さ方向又は幅方向に向けて、連結具13によって並列に連結される。風通しを確保するため、各長尺体11は間隔c1を隔てて連結される。間隔c1の寸法は、特に限定されず、例えば1mm〜50mmである。また、連結された長尺体11は、開口部100の上方で支持される。
本実施例では、複数の長尺体11は、その長手方向を開口部100の幅方向に向けて、連結具13により上下に並列に編み連ねられている。複数の長尺体11は、開口部100の上方に設置された取付具14に吊り下げられ、開口部100を遮蔽する。
【００１８】
連結具13は、複数の長尺体11を連結するものである。本実施例では、紐状の連結具13を用いた。連結具13の形状は、これに限定されず帯状であってもよい。連結具13の材質は特に限定されず、例えば、麻紐、棕櫚紐、樹脂製の紐等が使用される。
【００１９】
本考案の長尺体11は、例えば、円柱状、多角柱状又は板状のものが使用され、その長さは開口部100の幅や高さに応じて適宜設計可能である。また、その材質として、例えば、樹脂、セラミック、又はアルミやステンレス等の金属が用いられる。
本実施例では、図１（ｂ）に示すように、円柱状の長尺体11を用い、その長さを開口部100幅と略同一とした。
【００２０】
本考案の保水部12は、長尺体11の表面に形成された凹凸及び／又は多孔質構造であり、凹部、孔部で水分を保持するものである。保水部12は、長尺体11表面の全体、又は表面の一部分、例えば上部表面のみに形成してもよい。
本実施例では、保持部12として、微粉を長尺体11の表面全体に付着させて成る微粉層を形成した。この微粉層は、長尺体11の表面に接着剤を塗布し、その上から陶器の粉砕片などの粗粒状のセラミック（シャモットなど）、粗砂、樹脂粉末、金属粉等の微粉をまぶして形成される。本考案の冷却装置1は、長尺体11に散水して、この保水部12に水分を含ませて用いる。
【００２１】
本考案の冷却装置1は、日よけ、遮蔽、通風の作用を有する。また、保水部12に供給された水分の気化熱により、連結された長尺体間c1を通過する風が冷却されて、涼風を室内に送り込むことができる。さらに、保水部12が長尺体11の表面に形成されているため、保水部12に直接給水できる。このため、装置を比較的簡素に構成できる。
【００２２】
本実施例の保水部12は、陶器の粉砕片などの粗粒状のセラミック（シャモットなど）からなる骨材とガラスや長石等からなる釉成分とを含む泥漿をセラミックからなる長尺体11の表面に塗布、乾燥した塗布層を焼成して形成した多孔質セラミック層であってもよい。これにより、表面に凹凸及び／又は多孔質構造の保水部が形成される。
【００２３】
また、保水部12は、樹脂から成る長尺体11の表面に、ナイロン、ポリエチレン等の樹脂を溶融噴射して形成された多孔質構造の皮膜であってもよい。他の溶射材としては、金属、セラミック等を長尺体の材質に応じて用いることができる。
【００２４】
本実施例の冷却装置1は、開口部100の上方から吊り下げた使用態様に限られない。例えば、連結された長尺体11の長手方向を開口部100に対して縦方向に向けて、壁面に立て掛けた使用態様であってもよい。
【００２５】
本実施例の冷却装置１の他の態様として、図２（ａ）に示すように、複数の板状の長尺体91が所定の間隔を隔てて上下に並列に連結され、各長尺体91が開口部100に対して傾斜した連結装置90であっても良い。図２（ｂ）は、傾斜の態様を示す。実線で示される互いに連結された上側の一の長尺体91aと下側の他の長尺体91bにおいて、一の長尺体91aの最下端93の高さ（位置）は、他の長尺体の最上端95の高さよりも低くなるように傾斜している。
【００２６】
この冷却装置90は紐状の連結具13を用いる。長尺体91は連結具13を通すための挿通孔97を備えている。挿通孔97は長尺体91の厚み方向に対して所定角度で傾いて開設される。この挿通孔97に連結具13を通すこととで、長尺体91が所定の角度で傾くこととなる。
【００２７】
図２（ｂ）および図２（ｃ）の実線矢印で示すように、この冷却装置90は、水が連結具13及び挿通孔97を伝って各長尺体91の保水部92へ供給される。
【００２８】
この冷却装置90は、各長尺体91間に隙間が形成される。よって、図２（ｂ）の二点鎖線矢印に示すように、この隙間を通じて外気を開口部100へと導くことができる。また、長尺体91が開口部100に対し傾斜することにより、遮蔽効果を向上させることができる。
【００２９】
本実施例の冷却装置1のさらに他の態様として、板状の長尺体を窓の幅方向に向けて並列に上下に連結した冷却装置であって、連結した長尺体を吊り下げ、ブラケットを介して窓枠の上方に固定されるヘッドボックスと、長尺体をヘッドボックスに対して昇降させる昇降コードと、窓面に対する長尺体の傾斜角度を調節するラダーテープを備えた冷却装置であってもよい。
【実施例２】
【００３０】
本実施例の冷却装置2を図３に示す。この冷却装置2は、面状に連結された複数の長尺体21が開口部100の外面側で取付具24により固定されたものである。
【００３１】
複数の長尺体21は、図３（ａ）に示すように、その長手方向を開口部100の幅方向に向けて、これに直交する連結具23に溶接あるいはボルト等を用いて、上下に並列に連結されている。連結態様は、これに限定されず、長尺体21がその長手方向を窓の高さ方向に向けて連結されたものや、図４に示すように格子状に連結されたものであってもよい。この各長尺体21は、所定間隔c2を隔てて連結される。間隔c2の寸法は特に限定されないが、例えば50mm〜150mmである。
【００３２】
長尺体21は、図３（ｂ）に示すように、四角柱状のアルミパイプが好ましいが、特に材質は限定されない。また、長尺体21の形状は、これに限定されることなく、デザイン性を向上させるため、曲線状に変形されたものであってもよい。
【００３３】
長尺体21の表面には、多孔質構造の保水部22が形成されている。保水部22は、例えば、アルミを長尺体21の表面に溶射して形成したり、多孔質の石材や樹脂材を接着剤等で付着して形成してもよい。
【００３４】
連結具23は、複数の長尺体21を連結するものである。本実施例では、連結具23としてアルミパイプを用いたが、これに限定されず、ステンレス等の金属を用いてもよい。
【００３５】
本実施例の冷却装置2は、窓からの侵入を防ぐ防犯の作用を有する。また、保水部22に供給された水分の気化熱により、連結された長尺体21間c2を通過する風が冷却されて、涼風を室内に送り込むことができる。さらに、保水部22が長尺体21の表面に形成されているため、保水部22に直接給水できる。このため、装置を比較的簡素に構成できる。
【実施例３】
【００３６】
本考案の冷却装置は、図５に示すように、複数の長尺体11の上方に設置された容器31と、容器内に溜められた水33を複数の長尺体11に供給する散水手段32を更に備えた冷却装置3であってもよい。
【００３７】
容器31は、不図示の固定部材により建物に設置される。この容器31内には、雨水や家庭用水が溜められる。
【００３８】
散水手段32は、容器31内の水33を長尺体11に向けて散水するものである。本実施例では、散水手段32として、コックを用いた。コックは、容器31下部の流出口に取り付けられる。気温、日射等の状況に応じて、コックを開閉し、散水量を調節することができる。コックは、通常、少しずつ水が滴下する程度に開弁されている。滴下された水滴は最上段の長尺体11から最下段の長尺体11に向けて、各長尺体11の保水部12の一部または全部を満たしながら滴下する。
【００３９】
本実施例の冷却装置3は、容器31内に貯蔵した水33を散水手段32で少しずつ散水できるため、保水部12に給水する手間を省略することができる。
【００４０】
散水手段32の他の態様として、図６に示すように、自動制御弁34、配管35bを介して自動制御弁34に接続された散水ユニット73、及び長尺体11の下方に配置されたセンサユニット70を用いてもよい。
【００４１】
自動制御弁34は、配管35aを介して容器31下方に設けられた流出口に接続されている。自動制御弁34は、制御部36から出力される信号に基づいて、配管35a・35bを流れる水の流量を制御する。制御部36は、例えばマイクロコントロールユニットを用いることができる。
【００４２】
散水ユニット73は、中空の円柱体74とその下部に設けられた複数の滴下口75とから構成される。散水ユニット73の形状は、円柱形状に限定されず、多角柱形状であってもよい。また、円柱体74の長手寸法は、長尺体11の長手寸法と略等しい。その材質は、代表的には、亜鉛メッキされた鉄、ステンレス等が使用できる。円柱体74の中空部は配管35bを介して自動制御弁34に接続されており、中空部に流れ込んだ水が滴下口75から長尺体11へ滴下される。
複数の滴下口75は、円柱体74の長手方向に略等間隔で設けられている。
【００４３】
センサユニット70は、樋71と水検出器72とから構成される。樋71は、長尺体11の長手方向に伸び、一端から他端にかけて勾配（以下、水勾配という）をつけて連結具13によって設置される。その材質は、代表的には、亜鉛メッキされた鉄、ステンレス等が使用できる。長尺体11から滴下された水滴は、水勾配を伝って流れる。
水検出器72は、樋71内にある水の有無を検出するセンサであり、水勾配が設けられた樋71の下方端に配置される。水検出器72としては、代表的には漏水センサを用いることができる。水検出器72は、所定周期で水の有無を検出し、その結果を制御部36に送信する。送信方法としては、例えば赤外線通信、電波を用いた無線通信、有線通信が用いられる。
【００４４】
この冷却装置4は、水検出器72の出力に基づいて動作する。具体的な動作を以下に示す。
（１）水検出器72が所定周期で水の有無を検出し、その情報を制御部36に送信する。
（２）制御部36は、水検出器72から送られた情報を受信し、情報を解析する。
（３）水が存在するデータが情報に含まれている場合には、制御部36は、長尺体11に十分に水分が供給されると判断し、自動制御弁34に対して水の流量を減少させる信号を送信する。
一方、水が存在しないデータが情報に含まれている場合には、制御部36は、長尺体11に十分に水分が供給されていないと判断し、自動制御弁34に対して水の流量を増加させる信号を送信する。
（４）自動制御弁34は、制御部36からの信号に基づいて水の流量を制御する。
これにより、過不足なく長尺体11に水分が供給され、常に涼風を室内に送り込むことができる。
【００４５】
本実施例の冷却装置の他の態様として、図７（ａ）に示すように、長手方向を鉛直方向に向けた長尺体11を容器80から吊り下げた冷却装置5であっても良い。複数の長尺体11は、所定間隔を隔てて配列されている。容器80は不図示の取付具により開口部100の上方に設置される。
容器80は箱状であり、図７（ｂ）に示すように、断面コ字状の上部材81と板状の下部材82とが互いに螺子止めされて形成される。上部材81には不図示の水の注入口が設けられている。下部材82には吊下げ紐84用の挿通孔83が各長尺体11の吊下げ位置に対応して開設されている。吊下げ紐84は長尺体11の中心軸を通り、その長尺体11を支持する。吊下げ紐84は、その先端を輪状に形成され、挿通孔83から容器80内部に導かれる。そして、吊下げ紐84は、ワッシャ87を介して輪部85に通された螺子86が上部材81に螺入されることで容器80に取付けられる。
【００４６】
この冷却装置5は、容器80内に水を注入して用いる。下部材82に設けられた挿通孔83は散水手段として機能する。すなわち、容器80に注入された水は、挿通孔83を通じて各長尺体11へ供給される。長尺体11はその長手を鉛直方向に向けて吊り下げられているため、水は、長尺体11の上部から下部に向かってその保水部12を伝って流れる。このため、長尺体11全体に形成された保水部12にまんべんなく水分を供給できる。
【００４７】
本考案の冷却装置の各構成は、上記の実施例の態様に限定されない。
【００４８】
例えば、図８に示すように、保水部は、陶磁器質の長尺体の表面に形成された多孔質セラミックス層であってもよい。
図８（ａ）は、円柱状の長尺体41aを示したものである。保水部42aは、長尺体41aの表面を被覆している。
図８（ｂ）は、四角柱状の長尺体41bを示したものである。保水部42bは、長尺体41bの表面を被覆している。
図８（ｃ）は、板状の長尺41c体を示したものである。保水部42cは、長尺体41cの片面（上面）に積層されている。
多孔質セラミックス層から成る保水層は、その孔内に水分を吸着、保持することができる。
【００４９】
また、図９に示すように、保水部は、長尺体の表面に形成され、その長手方向に伸びる溝であってもよい。
図９（ａ）は、円柱状の長尺体51aを示したものである。複数の保水部52bが、長尺体51aの周方向に沿って、所定間隔で形成されている。
図９（ｂ）は、四角柱状の長尺体51bを示したものである。複数の保水部52bが、所定間隔を隔てて、長尺体51bの各面に形成されている。
図９（ｃ）は、板状の長尺体51cを示したものである。複数の保水部52cが、所定間隔を隔てて、長尺体51cの上面に形成されている。
この保水部は、溝内に水分を保持することができる。保水部は、直線状に形成されているが、これに限られず螺旋状に形成してもよい。
【００５０】
また、保水部は、シボ加工により長尺体の表面に形成された凹凸であってもよい。この保水部は、凹部に水分を保持することができる。
【００５１】
以上、本考案の冷却装置の態様について説明したが、本考案はその趣旨を逸脱しない範囲で、当業者の知識に基づき種々の改良、修正、変形を加えた態様で実施し得るものであり、これらの態様はいずれも本考案の範囲に属するものである。
【符号の説明】
【００５２】
1・2・3・4...冷却装置
11・21・41a・41b・41c・51a・51b・51c・91...長尺体
12・22・42a・42b・42c・52a・52b・52c・92...保水部
13・23...連結具
14・24...取付具
31...容器
32...散水手段
34...自動制御弁
70...センサユニット
73...散水ユニット
100...開口部
C1・C2...間隔
【図１】
0003175532.tif 000003
【図２】
0003175532.tif 000004
【図３】
0003175532.tif 000005
【図４】
0003175532.tif 000006
【図５】
0003175532.tif 000007
【図６】
0003175532.tif 000008
【図７】
0003175532.tif 000009
【図８】
0003175532.tif 000010
【図９】
0003175532.tif 000011
【図１０】
0003175532.tif 000012